(57)【要約】【課題】  水密構造として、従来から実施されている凹凸形状の下部戸当金物がある。凸形状の下部戸当金物を設置すると、床面に段差が発生する。段差は、通行、清掃等に障害がある。また、段差に、スロープを設置する場合には、手間と経費が掛かり、かつ体裁が悪い等の課題が残る。また、凹形状の下部戸当金物を設置すると、床面に溝が発生する。溝は、通行、清掃等に障害がある。また、溝による転倒発生の課題もある。【解決手段】  発明は、可動式防水扉に設ける水密ゴムによる水密構造で、水密ゴムは、防水扉が開扉状態で床面より離間し、閉扉状態で床面に接触する構造とし、水密ゴムの離間と接触を司る操作手段を、防水扉に付設する構成とすることで、床面に段差を設けなくても、水密構造を構築できる。【選択図】      図１
2014173375.tif 000002
【特許請求の範囲】
【請求項１】
可動式防水扉に設ける水密ゴムによる水密構造であり、
前記水密ゴムは、前記防水扉が開扉状態では、床面より離間するとともに、この防水扉が閉扉状態では、床面に接触する構造とし、
この水密ゴムの離間と接触を司る操作手段を、前記防水扉に付設する構成とした可動式防水扉に設ける水密ゴムによる水密構造。
【請求項２】
請求項１に記載の可動式防水扉に設ける水密ゴムによる水密構造であって、
前記操作手段は、前記防水扉に一方端部を設けた水密ゴムの他方端部を、床面より離間するか、又は床面に接触するかを操作する機構であり、この機構は、防水扉に設けた回転軸と、この回転軸に設けた回転体とで構成し、この回転体に前記水密ゴムを設ける構成とした可動式防水扉に設ける水密ゴムによる水密構造。
【請求項３】
請求項２に記載の可動式防水扉に設ける水密ゴムによる水密構造であって、
前記回転軸は、前記防水扉の一面下側に取付けた支持体に設け、この回転軸に回転体を設け、この回転体を前記防水扉の桁方向に設け、かつこの回転体に前記水密ゴムを設ける構成とした可動式防水扉に設ける水密ゴムによる水密構造。
【請求項４】
請求項３に記載の可動式防水扉に設ける水密ゴムによる水密構造であって、
前記水密ゴムを、床面より離間し、かつ前記回転体が、上死点にある状態を確保するために、この回転体の停止手段を、前記防水扉に設ける構成とした可動式防水扉に設ける水密ゴムによる水密構造。
【請求項５】
請求項１に記載の可動式防水扉に設ける水密ゴムによる水密構造であって、
前記操作手段は、前記防水扉に一方端部を設けた水密ゴムの他方端部を、床面より離間するか、又は床面に接触するかを操作する機構であり、この機構は、前記防水扉に設けた昇降体と、この昇降体の動作を司る昇降材と、この昇降材を操作するハンドルと、このハンドルを支持するブラケットと、このハンドルとこのブラケットに枢支する軸とで構成し、
前記昇降体に前記水密ゴムを設ける構成とした可動式防水扉に設ける水密ゴムによる水密構造。
【請求項６】
請求項５に記載の可動式防水扉に設ける水密ゴムによる水密構造であって、
前記昇降体を、前記防水扉の一面下側に昇降自在に設け、この昇降体に前記昇降材を垂設し、この昇降材の上端には、前記防水扉の裏面の枠板に設けブラケットに枢支したハンドルの可動端を枢支する構成とした可動式防水扉に設ける水密ゴムによる水密構造。
【請求項７】
請求項５に記載の可動式防水扉に設ける水密ゴムによる水密構造であって、
前記水密ゴムを、床面より離間し、かつ前記ハンドルが、下死点にある状態を確保するために、このハンドルの停止手段を、前記防水扉に設ける構成とした可動式防水扉に設ける水密ゴムによる水密構造。
【発明の詳細な説明】
【技術分野】
【０００１】
本発明は、可動式防水扉に設ける水密ゴムによる水密構造に関する。詳しくは、スイング式防水扉（観音開き防水扉）における水密を確保する水密ゴムによる水密構造に関する。
【背景技術】
【０００２】
周知の如く、防水扉を閉扉した状態では、防水扉の下端と、床面（地上、又は下部戸当金物）との間は、水密状態を確保する必要がある。その為に、種々の水密構造が提案されている。そして、特に問題となるのが、スイング式防水扉である。その理由は、扉本体が円弧軌跡で可動する故、この防水扉の底面に設けたシールの下端（自由端）を、床面に接するように支持できないことである。
【０００３】
この水密構造として、従来から実施されているのが、凹凸形状の下部戸当金物である。しかし、この凸形状の下部戸当金物を設置すると、床面に段差が発生する。この段差は、通行、清掃等に障害がある。また、段差に、スロープを設置する場合には、手間と経費が掛かり、かつ体裁が悪い等の課題が残る。また、凹形状の下部戸当金物を設置すると、床面に溝が発生する。この溝は、通行、清掃等に障害がある。また、溝による転倒発生の課題もある。
【０００４】
この障害と課題を解決するために、これまでにも、後述するような、種々の構造が提案されているが、需要者の要望を、満足するに到っていないのが現況である。以下、文献を参考に説明する。
【０００５】
特開２０１１−９４３３２号公報「文献（１）とする」に記載された両開き扉装置の防水扉の水密構造は、［０００９］に記載の如く、扉枠の竪横枠にシール部材を取付ける構造であり、地面に段差が発生する（図２、図３参照）。この段差は、前述した如く、障害と課題が残る。
【０００６】
特開２００９−２８１１０５号公報「文献（２）とする」に記載された防水扉装置は、収納移動するとともに、所定の位置で降下して防水する構造であって、シール材は、防水扉の下端に設けた複数の支持材を介して、下端より突設形成される。また、床面には、シール材が接触する水密部材が湾曲状に設置されている。この構造では、スイング式防水扉には、採用できないと思われる。
【０００７】
【特許文献１】特開２０１１−９４３３２号公報
【特許文献２】特開２００９−２８１１０５号公報
【発明の概要】
【発明が解決しようとする課題】
【０００８】
上記に鑑み、本発明は、スイング式防水扉に適する水密構造を提供する。その意図とする処は、下記の点である。
［イ］  床面に段差を設けなくても、水密構造を構築できる。
［ロ］  水密ゴムを操作手段で、昇降することで、開扉と閉扉の状態に順応できる。
［ハ］  水密ゴムを操作手段で、降下することで、閉扉時の水密を確保できる。
［ニ］  操作手段が、手動式とする場合には、簡易・簡便、無動力、設置場所の限定がない等の利点がある。
［ホ］  操作手段が、自動式とする場合には、容易な操作が可能、緊急時に瞬時対応可能、遠隔操作が可能等の利点がある。
［ヘ］  水密ゴムの確実な、床面より離接が図れる。
【課題を解決するための手段】
【０００９】
前述の［イ］〜［ニ］を達成するために、請求項１〜請求項７を提供する。
【００１０】
請求項１は、可動式防水扉に設ける水密ゴムによる水密構造であり、
前記水密ゴムは、前記防水扉が開扉状態では、床面より離間するとともに、この防水扉が閉扉状態では、床面に接触する構造とし、
この水密ゴムの離間と接触を司る操作手段を、前記防水扉に付設する構成とした可動式防水扉に設ける水密ゴムによる水密構造である。
【００１１】
請求項２は、請求項１に記載の可動式防水扉に設ける水密ゴムによる水密構造であって、
前記操作手段は、前記防水扉に一方端部を設けた水密ゴムの他方端部を、床面より離間するか、又は床面に接触するかを操作する機構であり、この機構は、防水扉に設けた回転軸と、この回転軸に設けた回転体とで構成し、この回転体に前記水密ゴムを設ける構成とした可動式防水扉に設ける水密ゴムによる水密構造である。
【００１２】
請求項３は、請求項２に記載の可動式防水扉に設ける水密ゴムによる水密構造であって、
前記回転軸は、前記防水扉の一面下側に取付けた支持体に設け、この回転軸に回転体を設け、この回転体を前記防水扉の桁方向に設け、かつこの回転体に前記水密ゴムを設ける構成とした可動式防水扉に設ける水密ゴムによる水密構造である。
【００１３】
請求項４は、請求項３に記載の可動式防水扉に設ける水密ゴムによる水密構造であって、
前記水密ゴムを、床面より離間し、かつ前記回転体が、上死点にある状態を確保するために、この回転体の停止手段を、前記防水扉に設ける構成とした可動式防水扉に設ける水密ゴムによる水密構造である。
【００１４】
請求項５は、請求項１に記載の可動式防水扉に設ける水密ゴムによる水密構造であって、
前記操作手段は、前記防水扉に一方端部を設けた水密ゴムの他方端部を、床面より離間するか、又は床面に接触するかを操作する機構であり、この機構は、前記防水扉に設けた昇降体と、この昇降体の動作を司る昇降材と、この昇降材を操作するハンドルと、このハンドルを支持するブラケットと、このハンドルとこのブラケットに枢支する軸とで構成し、
前記昇降体に前記水密ゴムを設ける構成とした可動式防水扉に設ける水密ゴムによる水密構造である。
【００１５】
請求項６は、請求項５に記載の可動式防水扉に設ける水密ゴムによる水密構造であって、
前記昇降体を、前記防水扉の一面下側に昇降自在に設け、この昇降体に前記昇降材を垂設し、この昇降材の上端には、前記防水扉の裏面の枠板に設けブラケットに枢支したハンドルの可動端を枢支する構成とした可動式防水扉に設ける水密ゴムによる水密構造である。
【００１６】
請求項７は、請求項５に記載の可動式防水扉に設ける水密ゴムによる水密構造であって、
前記水密ゴムを、床面より離間し、かつ前記ハンドルが、下死点にある状態を確保するために、このハンドルの停止手段を、前記防水扉に設ける構成とした可動式防水扉に設ける水密ゴムによる水密構造である。
【発明の効果】
【００１７】
請求項１の発明は、可動式防水扉に設ける水密ゴムによる水密構造であり、
水密ゴムは、防水扉が開扉状態で床面より離間し、閉扉状態で床面に接触する構造とし、
水密ゴムの離間と接触を司る操作手段を、防水扉に付設する構成とすることで、下記の特徴が発揮できる。
［イ］  床面に段差を設けなくても、水密構造を構築できる。
［ロ］  水密ゴムを操作手段で、昇降することで、開扉と閉扉の状態に順応できる。
［ハ］  水密ゴムを操作手段で、降下することで、閉扉時の水密を確保できる。
【００１８】
請求項２の発明は、操作手段は、防水扉に設けた水密ゴムの他方端部を、床面より離接（離間と接触）する機構であって、操作手段は、防水扉に設けた回転軸と、回転軸に設けた回転体とで構成し、回転体に水密ゴムを設ける構成とすることで、前記［イ］〜［ハ］の他に、下記の特徴が発揮できる。
［ニ］  操作手段が、手動式とする場合には、簡易・簡便、無動力、設置場所の限定がない等の利点がある。
［ホ］  操作手段が、自動式とする場合には、容易な操作が可能、緊急時に瞬時対応可能、遠隔操作が可能等の利点がある。
［ヘ］  水密ゴムの確実な、床面より離接が図れる。
【００１９】
請求項３の発明は、操作手段は、防水扉の一面下側の支持体に回転軸を設け、回転軸には回転体を設け、回転体を防水扉の桁方向に設け、かつ回転体に水密ゴムを設ける構成とすることで、前記［イ］〜［ヘ］の特徴が発揮できる。
【００２０】
請求項４の発明は、水密ゴムを、床面より離間し、かつ回転体の上死点での停止を図る停止手段を、防水扉に設ける構成とすることで、前記［イ］〜［ヘ］の特徴が発揮できる。
【００２１】
請求項５の発明は、操作手段は、防水扉に設けた水密ゴムの他方端部を、床面より離接（離間と接触）する機構であって、操作手段は、防水扉に設けた昇降体と、昇降体の動作を司る昇降材と、昇降材を操作するハンドルと、ハンドル用のブラケットと、ハンドル用の軸をブラケットに枢支する構成とすることで、前記［イ］〜［ヘ］の特徴が発揮できる。
【００２２】
請求項６の発明は、昇降体を、防水扉の一面下側に設け、昇降材を防水扉の枠板に設けたハンドルの中間を、枠板の上面のブラケットに軸を介して枢支し、ハンドルの可動端を、昇降材に枢支する構成とすることで、前記［イ］〜［ヘ］の特徴が発揮できる。
【００２３】
請求項７の発明は、水密ゴムを、床面より離間し、かつハンドルの下死点での停止を図る停止手段を、防水扉に設ける構成とすることで、前記［イ］〜［ヘ］の特徴が発揮できる。
【図面の簡単な説明】
【００２４】
【図１】スイング式防水扉を示した平面図
【図２】スイング式防水扉を示した正面図
【図３】スイング式防水扉を示した要部側面部
【図４−１】第一実施例であって、水密ゴムが上死点にあり（開扉状態）、かつ水密ゴムが床面より離間している状態を示した拡大模式図
【図４−２】第一実施例であって、水密ゴムが下死点にあり（閉扉状態）、かつ水密ゴムで水密状態を確保している状態を示した拡大模式図
【図４−３】第一実施例であって、水密ゴムと回転体等の動きを説明する拡大模式図
【図５−１】第二実施例であって、水密ゴムが上死点にあり（開扉状態）、かつ水密ゴムが床面より離間している状態を示した拡大模式図
【図５−２】第二実施例であって、水密ゴムが下死点にあり（閉扉状態）、かつ水密ゴムで水密状態を確保している状態を示した拡大模式図
【図５−３】第二実施例であって、水密ゴムとハンドル等の動きを説明する拡大模式図
【図５−４】他の第二実施例を示した拡大模式図
【図５−５】別の第二実施例を示した拡大模式図
【発明を実施するための形態】
【００２５】
図１〜図３に示した片持ちで、対でなる（主として大型）方式のスイング式防水扉Ａを説明すると、左右の防水扉本体１、１（対の例では、一方の符号と、一方の説明とする）と、この防水扉本体１を収容する袋部２と、閂３（締付け装置）と、前記防水扉本体１と袋部２に設けた軸５により開閉自在に建物Ｈに枢着する。図中６はセンターポールを示す。また、この防水扉本体１の下端１ａには、水密ゴム７が操作手段８を介して取付けられる。この操作手段８の動作で、水密ゴム７（水密水密ゴム）が、床面ＧＬ（下部戸当敷金物を含む）に離接する（水密解除と水密確保を図る）。図中１０はレールであり、キャスター１１が通る構造である。尚、水密ゴム７の下端に、水密性、接触性、又は耐久性等を目的として、溝、スリットの凹凸とか、凹凸条形状とかにすることも有効である。
【００２６】
図４−１〜図４−３に示した第一実施例における、水密ゴム７と操作手段８の構造を説明する。操作手段８は、防水扉本体１（防水扉Ａ）の一面下側（例えば、裏面１ａ下側の枠体１００の下側）に設けた対の支持体８０（防水扉本体１の桁方向の全長も有り得る）と、この支持体８０に差渡し設けた回転軸８１と、回転軸８１に設けた対の回転体８２（防水扉Ａの桁方向Ａ１の全体も可能）と、回転体８２に設けた先端が広く、中心が肉薄となった、（防水扉Ａの桁方向Ａ１の全体に到る）水密ゴム７とで構成する。尚、図示しないが、支持体８０、回転体８２、又は水密ゴム７の何れかを、上死点Ｂ１で停止する停止手段を設ける。
【００２７】
この例では、浸水状況となった際に、防水扉Ａを、前記機材を利用して、開扉から閉扉に向かって移動し、出入口Ｃを閉塞する。その後、停止手段を開放することで、回転軸８１と回転体８２、及び水密ゴム７が下死点Ｂ２に向かって回転する。即ち、図４−１から図４−３の如く、移行することで、水密ゴム７が、回転軸８１を支点として回転し、究極的には、床面ＧＬに接触する。この接触で防水扉Ａの下端（防水扉本体１の下端１ａ）と、床面ＧＬの隙間Ｄを、回転体８２、及び水密ゴム７で隠蔽することで、水密が確保されることと、回転体８２の剛性、及び／又は、水密ゴム７の剛性を利用して、水圧に対応し、水密ゴム７の変形を防止しつつ、浸水防止を図る。尚、防水扉Ａの縦枠、並びにセンターポール６との間にも、図示しないが、シールを敷設する。図中１２は、上部戸当金物である。
【００２８】
図５−１〜図５−３に示した第二実施例における、水密ゴム７と操作手段８の構造を説明する。操作手段８は、防水扉本体１（防水扉Ａ）の一面下側（例えば、裏面１ａ下側の枠体１００の下側）に摺設移行する、鍵形をした対の昇降体８００（防水扉本体１の桁方向の全長も有り得る）と、この昇降体８００の動作を司る、昇降体８００に立設し、かつこの防水扉本体１（防水扉Ａ）の一面下側の枠体１００に立設した一本、又は複数本の昇降材８０１と、この昇降材８０１を操作するハンドル８０２と、このハンドル８０２を支持する枠体１００に立設したブラケット８０３と、このハンドル８０３とブラケット８０３に枢支する軸８０４と、昇降体８００に水密ゴム７とで構成する。この例では、水密ゴム７は断面視してＬ字形形状とし、防水扉本体１の下端を、水密ゴム７と昇降体８００とでカバーするとともに、隙間Ｄを隠蔽する。尚、図示しないが、昇降体８００、昇降８０１、又は水密ゴム７の何れかを、上死点Ｂ１で停止する停止手段を設ける。また、昇降体８００の基端は、枠体１００に設けた箱体１０１に設けられ、この箱体１０１に設けた図示しない軸をガイドとして、基端が昇降する構造とする。
【００２９】
この例では、浸水状況となった際に、防水扉Ａを、前記機材を利用して、閉扉から開扉に向かって移動し、出入口Ｃを閉塞する。その後、停止手段を開放することで、ハンドル８０２を押下げると、昇降材８０１が軸８０４を支点として、その可動端が降下し、昇降材８０１が鉛直方向に降下するともに、水密ゴム７が下死点Ｂ２に向かって降下する。即ち、図５−１から図５−３の如く、水密ゴム７が、降下し、究極的には、床面ＧＬに接触する。この接触で防水扉Ａの下端（防水扉本体１の下端１ａ）における水密が確保されることと、昇降体８００の剛性（水密ゴム７の剛性利用も可能）を利用して、水圧に対応し、水密ゴム７の変形を防止して、浸水防止を図る。その他は、前述の第一実施例に準ずる。
【００３０】
また、図５−４に示した他の第二実施例では、昇降体８００を枠体１００に設けた固定ナット８０５と、枠体１００に貫設し、昇降体８００に立設し、かつナット８０５に噛合する螺軸８０６を介して昇降する構造である。即ち、螺軸８０６を回転することで、昇降体８００と水密ゴム７が昇降する。その他の構造と、動きは、第二実施例に準ずる。
【００３１】
さらに、図５−５に示した別の第二実施例では、昇降体８００を枠体１００に貫設し、昇降体８００に固定し、かつ歯車８０７が噛合する螺軸８０６（ボルト）と、歯車８０７に噛合する歯車８０８と、この歯車８０８を回転するハンドル８０２とで昇降する構造である。即ち、ハンドル８０２で、歯車８０８を回転し、この回転を次の歯車８０７に伝えることで、この歯車８０７の内歯車（図示せず）に噛合する螺軸８０６が昇降することで、昇降体８００と水密ゴム７が昇降する。その他の構造と、動きは、第二実施例に準ずる。
【００３２】
以上で説明した片持ちで、対でなる方式のスイング式防水扉Ａを説明したが、片持ちで、単独でなる（主として小型）方式のスイング式防水扉（図示しない）でも同様に考えられる。また、説明（図示しない等）の各構造は、本発明の好ましい一例の説明である。従って、本発明は前述した各実施例に限定されるものではなく、発明の趣旨の範囲において構成の一部を変更する構造とか、同じ特徴と効果を達成できる構造、等は、本発明の範疇である。
【符号の説明】
【００３３】
１          防水扉本体
１ａ        裏面
１００      枠体
１０１      箱体
２          袋部
３          閂
５          軸
６          センターポール
７          水密ゴム
８          操作手段
８０        支持体
８１        回転軸
８２        回転体
８００      昇降体
８０１      昇降材
８０２      ハンドル
８０３      ブラケット
８０４      軸
８０５      ナット
８０６      螺軸
８０７      歯車
８０８      歯車
１０        レール
１１        キャスター
１２        上部戸当金物
Ａ          防水扉
Ｂ１        上死点
Ｂ２        下死点
Ｃ          出入口
Ｄ          隙間
Ｈ          建物
【図１】
2014173375.tif 000003
【図２】
2014173375.tif 000004
【図３】
2014173375.tif 000005
【図４−１】
2014173375.tif 000006
【図４−２】
2014173375.tif 000007
【図４−３】
2014173375.tif 000008
【図５−１】
2014173375.tif 000009
【図５−２】
2014173375.tif 000010
【図５−３】
2014173375.tif 000011
【図５−４】
2014173375.tif 000012
【図５−５】
2014173375.tif 000013